(57)【要約】【課題】遊技客が台移動を行なった場合であっても、計数結果が適正であるか否かを判定すること。【解決手段】遊技機を使用した遊技客をカードＩＤで識別し、台間メダル貸機でメダル計数時にメダルの真贋判定を行い、非正規メダルと判定した場合には非正規メダルの種類の識別を行い、カード管理装置でカードＩＤ等に関連付けて当日の計数枚数と非正規メダル計数枚数及び非正規メダルの種類数など管理する。遊技媒体の計数時に、計数を行った遊技客のカードＩＤ等に関連付けられた非正規メダル計数枚数及び非正規メダルの種類数などと、それらの非正規メダル計数枚数や非正規メダルの種類数などを適正と判定する閾値と比較し閾値を超えた場合にはアラート発報する。【選択図】図１
2014161612.tif 000002
【特許請求の範囲】
【請求項１】
遊技機による遊技に使用される遊技媒体を計数する遊技媒体計数システムであって、
前記遊技機に併設され、前記遊技媒体を計数する計数手段と、
前記遊技媒体が正規の遊技媒体であるか否かを判定する判定手段と、
前記遊技機や複数の前記遊技機が属する島等の遊技設備に対応する識別情報及び／又は前記遊技機を使用した遊技客に対応する識別情報を取得する識別情報取得手段と、
前記計数手段が計数した遊技媒体のうち、前記判定手段により正規の遊技媒体ではないと判定された遊技媒体数を、前記識別情報取得手段により取得された識別情報に基づいて集計する非正規遊技媒体集計手段と、
前記非正規遊技媒体集計手段による集計結果が所定の条件を満たす場合に報知処理を行なう報知手段と
を備えたことを特徴とする遊技媒体計数システム。
【請求項２】
前記識別情報取得手段は、前記計数手段により計数された遊技媒体数と関連付けられる記憶媒体の識別情報を前記遊技客に対応する識別情報として取得し、前記非正規遊技媒体集計手段は前記記憶媒体の識別情報毎に集計を行なうことを特徴とする請求項１に記載の遊技媒体計数システム。
【請求項３】
前記報知手段は、前記記憶媒体の識別情報による集計の結果、前記非正規遊技媒体の計数合計数、若しくは前記非正規遊技媒体の計数回数が閾値を超えた場合に報知処理を行なうことを特徴とする請求項２に記載の遊技媒体計数システム。
【請求項４】
前記非正規遊技媒体集計手段は、前記遊技設備に対応する識別情報毎に集計を行ない、
前記報知手段は、前記遊技設備に対応する識別情報による集計の結果、前記非正規遊技媒体の計数合計数、若しくは前記非正規遊技媒体の計数回数が閾値を超えた場合に報知処理を行なう
ことを特徴とする請求項１に記載の遊技媒体計数システム。
【請求項５】
前記判定手段により非正規遊技媒体と判定された遊技媒体の画像を記憶する記憶手段をさらに備えたことを特徴とする請求項１〜４のいずれか一つに記載の遊技媒体計数システム。
【請求項６】
前記非正規遊技媒体集計手段は、前記記憶手段に記憶された非正規遊技媒体の画像に基づいて、同一種類の非正規遊技媒体の計数合計値を算定し、
前記報知手段は、前記同一種類の非正規遊技媒体の計数合計値が前記所定の条件を満たす場合に報知処理を行なう
ことを特徴とする請求項１〜５のいずれか一つに記載の遊技媒体計数システム。
【請求項７】
前記非正規遊技媒体集計手段は、前記記憶手段に記憶された非正規遊技媒体の画像に基づいて、非正規遊技媒体の種類の数を求め、
前記報知手段は、前記非正規遊技媒体の種類の数が前記所定の条件を満たす場合に報知処理を行なう
ことを特徴とする請求項１〜５のいずれか一つに記載の遊技媒体計数システム。
【請求項８】
遊技機による遊技に使用される遊技媒体を計数する遊技媒体計数方法であって、
前記遊技機に併設された計数機により前記遊技媒体を計数する計数ステップと、
前記遊技媒体が正規の遊技媒体であるか否かを判定する判定ステップと、
前記遊技機や複数の前記遊技機が属する島等の遊技設備に対応する識別情報及び／又は前記遊技機を使用した遊技客に対応する識別情報を取得する識別情報取得ステップと、
前記計数ステップにより計数した遊技媒体のうち、前記判定ステップにより正規の遊技媒体ではないと判定された遊技媒体数を、前記識別情報取得ステップにより取得された識別情報に基づいて集計する非正規遊技媒体集計ステップと、
前記非正規遊技媒体集計ステップによる集計結果が所定の条件を満たす場合に報知処理を行なう報知ステップと
を含んだことを特徴とする遊技媒体計数方法。
【発明の詳細な説明】
【技術分野】
【０００１】
この発明は、遊技機による遊技に使用される遊技媒体を計数する遊技媒体計数システム及び遊技媒体計数方法に関する。
【背景技術】
【０００２】
従来、遊技店には不正検知及び売上管理を行うために、各遊技機及び台間装置から遊技に関する情報を収集し、収集した情報をホールコンピュータと呼ばれる管理装置で管理する技術が知られている。例えば、特許文献１には、ホールコンピュータが消費遊技媒体数を示す消費遊技媒体信号及び賞出遊技媒体数を示す賞出信号を遊技機から受信し、貸遊技媒体数を示す貸遊技媒体信号、貯遊技媒体再プレイを示す貯遊技媒体再プレイ信号、持遊技媒体再プレイを示す持遊技媒体再プレイ信号及び所定遊技媒体の計数を示す計数信号を台間装置から受信し、これらの信号に基づいて遊技機の台番号ごとに消費遊技媒体数、賞出遊技媒体数、貸遊技媒体数、貯遊技媒体再プレイ遊技媒体数、持遊技媒体再プレイ遊技媒体数及び計数遊技媒体数を管理する技術が開示されている。
【０００３】
かかる特許文献１を用いると、遊技機ごとに「貸遊技媒体数＋貯遊技媒体再プレイ遊技媒体数＋持遊技媒体再プレイ遊技媒体数−消費遊技媒体数＋賞出遊技媒体数−計数遊技媒体数」を算定することで各遊技機の差遊技媒体数を算定することができる。計数時にこの差遊技媒体数を比較することで、計数遊技媒体数が適正な数であるか否かを判定することが可能となる。
【先行技術文献】
【特許文献】
【０００４】
【特許文献１】特開２０１０−１５８２９７号公報
【発明の概要】
【発明が解決しようとする課題】
【０００５】
しかしながら、上述した特許文献１では、遊技客が単一の遊技機のみを使用した場合には、計数遊技媒体数が適正な数であるか否かを判定でき、もってレートの異なる区画や他店から持ち込まれた遊技玉を計数するといった不正を検知することができるものの、遊技客が複数の遊技機を使用した場合には対応することができなかった。
【０００６】
具体的に説明すると、遊技客は遊技機で遊技した後、手元の遊技媒体をもって他の遊技機に移動する台移動を行なう場合がある。遊技客が台移動を行なった場合には、最終的に計数される遊技媒体の数は、遊技客が使用した各遊技機の差玉数の合計となるのであるが、計数時には遊技客が台移動を行なったかどうか、台移動を行なった場合にはどの遊技機をどのタイミングで使用したかが不明であるため、計数値と比較すべき差遊技媒体数を特定できないのである。
【０００７】
すなわち、従来の技術は、台移動が行なわれていない場合にのみ有効であり、適用可能な状況が限定されるという問題点があった。このため、遊技客が台移動を行なった場合であっても、計数結果が適正であるか否かを判定することのできる技術の実現が重要な課題となっていた。
【０００８】
本発明は、上述した従来技術の課題を解消するためになされたものであって、遊技媒体の計数時に、計数結果が適正であるか否かを判定することのできる遊技媒体計数システム及び遊技媒体計数方法を提供することを目的とする。
【課題を解決するための手段】
【０００９】
上述した課題を解決し、目的を達成するため、本発明は、遊技機による遊技に使用される遊技媒体を計数する遊技媒体計数システムであって、前記遊技機に併設され、前記遊技媒体を計数する計数手段と、前記遊技媒体が正規の遊技媒体であるか否かを判定する判定手段と、前記遊技機や複数の前記遊技機が属する島等の遊技設備に対応する識別情報及び／又は前記遊技機を使用した遊技客に対応する識別情報を取得する識別情報取得手段と、前記計数手段が計数した遊技媒体のうち、前記判定手段により正規の遊技媒体ではないと判定された遊技媒体数を、前記識別情報取得手段により取得された識別情報に基づいて集計する非正規遊技媒体集計手段と、前記非正規遊技媒体集計手段による集計結果が所定の条件を満たす場合に報知処理を行なう報知手段とを備えたことを特徴とする。
【００１０】
また、本発明は、上記発明において、前記識別情報取得手段は、前記計数手段により計数された遊技媒体数と関連付けられる記憶媒体の識別情報を前記遊技客に対応する識別情報として取得し、前記非正規遊技媒体集計手段は前記記憶媒体の識別情報毎に集計を行なうことを特徴とする。
【００１１】
また、本発明は、上記発明において、前記報知手段は、前記記憶媒体の識別情報による集計の結果、前記非正規遊技媒体の計数合計数、若しくは前記非正規遊技媒体の計数回数が閾値を超えた場合に報知処理を行なうことを特徴とする。
【００１２】
また、本発明は、上記発明において、前記非正規遊技媒体集計手段は、前記遊技設備に対応する識別情報毎に集計を行ない、前記報知手段は、前記遊技設備に対応する識別情報による集計の結果、前記非正規遊技媒体の計数合計数、若しくは前記非正規遊技媒体の計数回数が閾値を超えた場合に報知処理を行なうことを特徴とする。
【００１３】
また、本発明は、上記発明において、前記判定手段により非正規遊技媒体と判定された遊技媒体の画像を記憶する記憶手段をさらに備えたことを特徴とする。
【００１４】
また、本発明は、上記発明において、前記非正規遊技媒体集計手段は、前記記憶手段に記憶された非正規遊技媒体の画像に基づいて、同一種類の非正規遊技媒体の計数合計値を算定し、前記報知手段は、前記同一種類の非正規遊技媒体の計数合計値が前記所定の条件を満たす場合に報知処理を行なうことを特徴とする。
【００１５】
また、本発明は、上記発明において、前記非正規遊技媒体集計手段は、前記記憶手段に記憶された非正規遊技媒体の画像に基づいて、非正規遊技媒体の種類の数を求め、前記報知手段は、前記非正規遊技媒体の種類の数が前記所定の条件を満たす場合に報知処理を行なうことを特徴とする。
【００１６】
また、本発明は、遊技機による遊技に使用される遊技媒体を計数する遊技媒体計数方法であって、前記遊技機に併設された計数機により前記遊技媒体を計数する計数ステップと、前記遊技媒体が正規の遊技媒体であるか否かを判定する判定ステップと、前記遊技機や複数の前記遊技機が属する島等の遊技設備に対応する識別情報及び／又は前記遊技機を使用した遊技客に対応する識別情報を取得する識別情報取得ステップと、前記計数ステップにより計数した遊技媒体のうち、前記判定ステップにより正規の遊技媒体ではないと判定された遊技媒体数を、前記識別情報取得ステップにより取得された識別情報に基づいて集計する非正規遊技媒体集計ステップと、前記非正規遊技媒体集計ステップによる集計結果が所定の条件を満たす場合に報知処理を行なう報知ステップとを含んだことを特徴とする。
【発明の効果】
【００１７】
本発明によれば、遊技機に併設された計数手段により遊技媒体を計数し、遊技媒体が正規の遊技媒体であるか否かを判定し、遊技機や複数の前記遊技機が属する島等の遊技設備に対応する識別情報及び／又は遊技機を使用した遊技客に対応する識別情報を取得し、計数した遊技媒体のうち正規の遊技媒体ではないと判定された遊技媒体数を識別情報に基づいて集計し、集計結果が所定の条件を満たす場合に報知処理を行なうよう構成したので、遊技媒体の計数時に、計数結果が適正であるか否かを判定することが可能となる。
【図面の簡単な説明】
【００１８】
【図１】図１は、本実施例に係る遊技システムにおける非正規遊技媒体持ち込みを検知する遊技媒体計数方法の概念を説明するための説明図である。
【図２】図２は、遊技店のシステム構成を示す図である。
【図３】図３は、図２に示した遊技機及び台間メダル貸機の外観構成を示す図である。
【図４】図４は、図２に示した台間メダル貸機の計数機構を説明するための説明図である。
【図５】図５は、図２に示した台間メダル貸機の本実施例に係る内部構成を示すブロック図である。
【図６】図６は、図２に示した台間メダル貸機のメダル計数処理手順を示すフローチャートである。
【図７】図７は、図２に示したカード管理装置の本実施例に係る内部構成を示すブロック図である。
【図８】図８は、図２に示したカード管理装置の本実施例に係るデータ構成について説明するための説明図である。
【図９】図９は、本実施例に係る台間メダル貸機にてメダル計数時のカード管理装置におけるメダル計数に係る処理手順について説明するためのフローチャートである。
【図１０】図１０は、複数の遊技機を含む島等の遊技エリアの単位で非正規遊技媒体持ち込みを検知する遊技媒体計数方法を説明するための説明図である。
【発明を実施するための形態】
【００１９】
以下に、添付図面を参照して、本発明に係る遊技媒体計数システム及び遊技媒体計数方法の好適な実施例を詳細に説明する。
【実施例】
【００２０】
まず、本実施例に係る遊技システムにおける非正規遊技媒体持ち込みを検知する遊技媒体計数方法の概念を説明する。図１は、遊技システムにおける非正規遊技媒体持ち込みを検知する遊技媒体計数方法の概念を説明するための説明図である。
【００２１】
遊技客は、台間メダル貸機１０にて遊技媒体の計数を行うことができる。遊技客により計数操作がされると、台間メダル貸機１０は、投入されたメダルの計数を行うとともに、投入された個々のメダルの画像を採取して真贋判定を行うことにより、非正規メダル枚数もカウントする。
【００２２】
台間メダル貸機１０は、計数の都度、カードＩＤ、計数機ＩＤ、メダル計数枚数、非正規メダル枚数及び非正規メダルのイメージをカード管理装置４０に送信する。図１の例では、計数機ＩＤが「０１０」の台間メダル貸機１０にて１回目と２回目のメダル計数が行われ、計数機ＩＤが「０２０」の台間メダル貸機１０にて３回目のメダル計数が行われている。１回目の計数は、計数メダル枚数が「５０」、内非正規メダル枚数が「１０」であり、この計数メダル枚数、非正規メダル枚数及び非正規メダルのイメージデータがカード管理装置４０に送信されている。また、２回目の計数は、計数メダル枚数が「６０」、内非正規メダル枚数が「５」であり、この計数メダル枚数、非正規メダル枚数及び非正規メダルのイメージデータがカード管理装置４０に送信されている。また、３回目の計数は、計数メダル枚数が「４０」、内非正規メダル枚数が「１０」であり、この計数メダル枚数、非正規メダル枚数及び非正規メダルのイメージデータがカード管理装置４０に送信されている。
【００２３】
カード管理装置４０は、台間メダル貸機１０より受け付けた計数結果や非正規メダルのイメージデータを記憶し、受け付けた非正規メダルのイメージデータより非正規メダルの種類を識別する。さらに、カード管理装置４０は受け付けた計数結果や非正規メダルの識別結果より、集計結果の更新を行う。
【００２４】
続いて、カード管理装置４０は更新された集計結果と、内部に保有するアラート判定基準とを比較することによってアラート発報の要否の判定を行う。アラートの判定基準には同一遊技客での非正規メダル枚数検出枚数、同一遊技機での非正規メダル枚数検出枚数だけではなく、同一遊技客の同一非正規メダル検出枚数などの非正規メダルの識別結果を基にした情報も判定条件として設定することを可能としている。
【００２５】
アラートは、台間メダル貸機１０への通知により台間メダル貸機１０におけるディスプレイ装置等に対する出力処理や、無線発信装置４６を経由して店員が装着しているインカム７０での音声出力処理等により報知される。
【００２６】
次に、遊技店のシステム構成について説明する。図２は、遊技店のシステム構成を示す図である。図２に示すように、遊技店には、複数の遊技機２０と、各遊技機２０にそれぞれ対応して設けられた台間メダル貸機１０とが設置される。台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００２７】
遊技機２０は、遊技媒体であるメダルをメダル投入口２３に投入して、３個のドラムを回転させるとともに、ストップボタンを順次押して絵柄をそろえることにより遊技を行うスロットマシンである。３つのドラムの有効ラインに一定の絵柄が揃うと、遊技機２０は、絵柄の種類に応じた枚数のメダルを獲得メダルとして払い出す。
【００２８】
台間メダル貸機１０は、入金の受付、メダルの貸し出し並びにカード管理装置４０との通信を行う。台間メダル貸機１０は、遊技客が投入した紙幣を受け付けたならば、入金額を含む入金通知をカード管理装置４０に送信することで、プリペイド価値をカード管理装置４０が管理するプリペイド価値に加算させる。そして、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００２９】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、記憶した場合には、カード管理装置４０に対して持メダル減算要求を送信することで、カード管理装置４０が管理する持メダル口座の残高をゼロにクリアする。
【００３０】
また、台間メダル貸機１０は、持メダル再プレイ操作を受け付けると、自装置が管理する持メダル口座の残高を所定数減算し、減算した数に対応する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算した数に対応する数のメダルを払い出す。
【００３１】
台間メダル貸機１０は、カード返却操作を受け付けたならば、自装置が管理する持メダル口座の残高を含む持メダル加算要求をカード管理装置４０に送信し、カード管理装置４０に持メダルを加算させた後、カード排出通知をカード管理装置４０に送信し、カードを排出制御する。
【００３２】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００３３】
カード管理装置４０は、台間メダル貸機１０からカード挿入通知を受信したならば、挿入されたカードのカードＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、該カードＩＤに関連づけられた貯メダル口座の残高を会員管理装置５０から取得し、プリペイド価値及び持メダル口座の残高とともに台間メダル貸機１０に送信する。
【００３４】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００３５】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００３６】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００３７】
また、カード管理装置４０は、無線発信装置４６を備えており、カード管理装置４０において店員に報知すべきアラート等を検出した場合には、該無線発信装置４６を経由して店員の装着するインカム７０に音声によるメッセージを送ることが可能である。
【００３８】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００３９】
会員管理装置５０は、カード管理装置４０から貯メダル口座残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連づけられた貯メダル口座の残高を所定数減算し、貯メダル再プレイ許可を出力する。
【００４０】
また、会員管理装置５０は、景品管理装置６０から貯メダル口座残高の問い合わせを受けたならば、指定されたカードＩＤに対応する貯メダル口座の残高を景品管理装置６０に通知する。
【００４１】
景品管理装置６０は、遊技店内の景品交換カウンタに併設された景品交換用の端末装置であり、獲得玉、貯メダル及び持メダルの景品交換処理を行う。この景品管理装置６０には、カードのカードＩＤを読み取るリーダライタ並びに景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００４２】
精算機８０は、プリペイド価値が対応付けられたカードが挿入されると、該カードのカードＩＤをカード管理装置４０に送信し、該カードに関連付けられたプリペイド価値を取得し、取得したプリペイド価値に相当する現金の払出を行う。
【００４３】
図２に示したシステムでメダル貸しを行う場合のメダル貸処理について説明する。遊技客が台間メダル貸機１０に対してメダル貸操作を行うと、台間メダル貸機１０は、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、メダル貸要求とを含む。
【００４４】
カード管理装置４０は、メダル貸要求を含む電文を受信すると、該電文内のカードＩＤに関連付けられたプリペイド価値を所定値（例えば、１００円）減算してカード管理データを更新し、メダル貸許可を送信元の台間メダル貸機１０に送信する。メダル貸許可を受信した台間メダル貸機１０は、減算したプリペイド価値に対応する数（例えば５枚）のメダルを払い出す。
【００４５】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、カード挿入通知とを含む。
【００４６】
カード管理装置４０は、台間メダル貸機１０からカード挿入通知を受信した場合には、該電文内のカードＩＤに関連付けられた持メダル口座のうち、該電文により特定されたレートの持メダル口座の残高を台間メダル貸機１０に通知する。
【００４７】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤ及びレートにより特定される持メダル口座の残高をゼロにクリアする。台間メダル貸機１０は、持メダル再プレイ操作を受け付けた場合には、記憶した持メダルの残高を所定数減算し、対応する数のメダルを払い出す。
【００４８】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するＩＰアドレス若しくは任意の識別情報と、台間メダル貸機１０のレートを特定するための情報と、持メダルの残高と、持メダル加算要求とを含む。
【００４９】
カード管理装置４０は、持メダル加算要求を受け付けた場合には、該電文内のカードＩＤに関連付けられた持メダル口座のうち、該電文により特定されたレートの持メダル口座の残高を受信した残高の値に更新する。
【００５０】
その後、台間メダル貸機１０は、カード管理装置４０にカード排出通知を送信し、カードを排出制御する。
【００５１】
次に、図２に示したシステムで貯メダルの再プレイを行う場合の貯メダル再プレイ処理について説明する。台間メダル貸機１０は、会員カードを挿入された場合、若しくは会員カードとして使用可能な携帯端末からカードＩＤに対応する識別情報を読み取った場合に、カード管理装置４０のローカルＩＰアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するＩＰアドレス若しくは任意の識別情報と、台間メダル貸機１０のレートを特定するための情報と、カード挿入通知とを含む。
【００５２】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯メダル口座のうち、該電文により特定されたレートの貯メダル口座の残高と、を含む貯メダル再プレイデータを台間メダル貸機１０に送信する。
【００５３】
台間メダル貸機１０は、受信した貯メダル再プレイデータを記憶し、貯メダル再プレイデータに示された貯メダル口座の残高が貯メダル再プレイにおけるメダルの払出単位数（貯メダル再プレイ単位数。例えば２５枚）以上である場合には貯メダル再プレイ操作を受け付け可能とする。
【００５４】
台間メダル貸機１０は、貯メダル再プレイデータの記憶後、最初に貯メダル再プレイ操作を受け付けた場合に、遊技客に対して暗証番号の入力を求め、入力された暗証番号が貯メダル再プレイデータに示された暗証番号と一致するかを確認する。
【００５５】
台間メダル貸機１０は、暗証番号が一致した場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、貯メダル再プレイ要求とを含む。
【００５６】
カード管理装置４０は、貯メダル再プレイ要求の電文を会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高を含む貯メダル再プレイデータを台間メダル貸機１０に送信する。
【００５７】
台間メダル貸機１０は、貯メダル再プレイデータを受信して貯メダル口座の残高を更新し、メダルを貯メダル再プレイ単位数だけ払い出す。また、更新後の貯メダル口座の残高が貯メダル再プレイ単位数未満となったかを判定し、貯メダル再プレイ単位数未満となったならば、貯メダル再プレイ操作を受け付け不能とする。更新後の貯メダル口座の残高が貯メダル再プレイ単位数以上であれば、再度貯メダル再プレイ操作を受け付け可能であり、貯メダル再プレイ操作を受け付けた場合には貯メダル再プレイ要求を送信する。２回目以降の貯メダル再プレイ操作では、暗証番号の確認は不要である。
【００５８】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００５９】
メダルの貸出、貯メダル再プレイ及び持メダル再プレイの操作によって、台間メダル貸機１０からメダルを払い出すものとして説明したが、台間メダル貸機１０から遊技機２０にメダルの払出指示を行い、遊技機２０が指示された内容でメダルを払い出すものとしても良い。
【００６０】
次に、図２に示した遊技機２０及び台間メダル貸機１０の外観構成について説明する。図３は、図２に示した遊技機２０及び台間メダル貸機１０の外観構成を示す図である。なお、紙幣のみを受け付ける台間メダル貸機１０を図示したが、硬貨受付用のユニットを設けることもできる。
【００６１】
図３に示すように、遊技機２０は、３つのドラムを有するドラム部２１と、各種表示を行なう表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００６２】
また、台間メダル貸機１０は、台間メダル貸機１０の装置状態を所定色のランプの点灯あるいは点滅で表示する状態表示部１１と、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを遊技機２０に投出するノズル１８ａと、計数対象のメダルの投入を受け付けるメダル投入口１９ａとを有する。
【００６３】
次に、図２に示した台間メダル貸機１０の計数機構について説明する。図４は、図２に示した台間メダル貸機１０の計数ユニット１９を説明するための説明図である。台間メダル貸機１０の計数ユニット１９は、メダル投入口１９ａ、投入されたメダルを搬送する搬送ベルト１９ｂ、メダルの画像を撮像するカメラ１９ｃ、カメラ１９ｃで撮像された画像により実施した真贋判定に基づいて正規メダルと非正規メダルの振り分けを行うメダル振分部１９ｄ及び非正規メダルを蓄えるリジェクトボックス１９ｅとを有する。
【００６４】
遊技客は、メダル計数時に台間メダル貸機１０の前面にある、メダル投入口１９ａにメダルを投入する。投入されたメダルは搬送ベルト１９ｂで１枚ずつ整列搬送され、カメラ１９ｃは整列搬送された全てのメダルの画像を撮像する。
【００６５】
台間メダル貸機１０は、メダルの真贋判定の為に正規メダルの特徴情報を保有しており、カメラ１９ｃで撮像されたメダルの画像から算出した特徴情報と正規メダルの特徴情報を比較することによって個々のメダルの真贋判定を行う。
【００６６】
該真贋判定結果に従ってメダル振分部１９ｄを制御して、正規メダルと判定したメダルを台間メダル貸機外に、非正規メダルと判定した場合には台間メダル貸機１０の内部にある、非正規メダルの貯留部であるリジェクトボックス１９ｅに振り分けられる。
【００６７】
図４に示した計数ユニット１９は、搬送ベルト１９ｂによってメダルの繰り出しを行って、カメラ１９ｃでメダル画像を撮像するという構成としたが、本発明ではこれに限定するものではなく、メダルの画像の撮像が可能であれば計数ユニット１９がホッパー式であっても良い。
【００６８】
次に、図２に示した台間メダル貸機１０の内部構成について説明する。図５は、図２に示した台間メダル貸機１０の内部構成を示すブロック図である。図５に示すように、台間メダル貸機１０は、紙幣搬送部１２と、表示操作部１３と、リーダライタ１４と、かざし部１４ｂと、通信部１５と、記憶部１６と、制御部１７と、ノズルユニット１８と、計数ユニット１９とを有する。
【００６９】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、通信回線との間のデータ通信を行なうためのインタフェース部である。
【００７０】
記憶部１６は、ハードディスク装置や不揮発性メモリ等からなる記憶デバイスである。記憶部１６は、カードＩＤ１６ａ、有価価値データ１６ｂ、計数データ１６ｃ、基準メダルデータ１６ｄ及び非正規メダル画像データ１６ｅを記憶する。
【００７１】
カードＩＤ１６ａは、リーダライタ１４により読み取られたカードＩＤである。図示しないカード収納部からリーダライタ１４にカードが搬送された場合には、リーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００７２】
有価価値データ１６ｂは、遊技媒体の払い出しを受けるために使用可能な有価価値を示すデータである。この有価価値には、メダル貸しに使用可能なプリペイド価値の残高、持メダル口座の残高並びに貯メダル口座の残高を含む。
【００７３】
計数データ１６ｃは、メダル投入口１９ａから投入されたメダルを計数ユニット１９で計数した結果を記憶している。この計数データ１６ｃには、正規メダルと非正規メダルの合計枚数と非正規メダルの枚数とを含む。
【００７４】
基準メダルデータ１６ｄは、メダルの真贋判定を行う時に使用する正規メダルの特徴データである。また真贋判定によって非正規メダルと判定されたメダルの画像は非正規メダル画像データ１６ｅに記憶される。
【００７５】
制御部１７は、台間メダル貸機１０を全体制御する制御部であり、データ管理部１７ａ、メダル画像撮像部１７ｂ、メダル真贋判定部１７ｃ、計数処理部１７ｄ、計数データ送信部１７ｅ及びアラート表示部１７ｆを有する。
【００７６】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｂを更新する。データ管理部１７ａは、有価価値データ１６ｂに示されたプリペイド価値、持メダル数及び貯メダル数を適宜表示操作部１３に表示制御する。
【００７７】
また、データ管理部１７ａは、遊技客によりメダル貸操作が行なわれた場合に、カードＩＤ１６ａ及び装置ＩＤを含むメダル貸要求をカード管理装置４０に送信する。このメダル貸要求への応答としてメダル貸許可を受信したならば、データ管理部１７ａは、所定数のメダルを払い出す。
【００７８】
また、データ管理部１７ａは、遊技客により持メダル再プレイ操作が行なわれた場合に、有価価値データ１６ｂに示された持メダル口座の残高を所定数減算し、対応する数のメダルを払い出す。
【００７９】
また、データ管理部１７ａは、遊技客により貯メダル再プレイ操作が行なわれた場合に、カードＩＤ１６ａ及び装置ＩＤを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００８０】
また、データ管理部１７ａは、遊技客によりカード返却操作が行なわれた場合に、カードＩＤ１６ａ、装置ＩＤ並びに持メダル数を含む持メダル加算要求をカード管理装置４０に送信して、自装置持メダル口座の残高を０にクリアした後、カード排出通知をカード管理装置４０に送信し、カードを排出する。
【００８１】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００８２】
メダル画像撮像部１７ｂは、計数ユニット１９に投入されたメダルを１枚ずつカメラ１９ｃにより撮像する。メダル真贋判定部１７ｃはメダル画像撮像部１７ｂで撮像したメダル画像と基準メダルデータ１６ｄとにより、メダルの正規メダル／非正規メダルの判定を行う。また、メダル真贋判定部１７ｃは、非正規メダルと判定したメダルの画像を非正規メダル画像データ１６ｅに記憶する。また、メダル真贋判定部１７ｃは、非正規メダルと判定した場合には計数データ１６ｃの非正規メダル枚数をカウントアップする。
【００８３】
計数処理部１７ｄは、メダル投入口１９ａより計数ユニット１９に投入されたメダルの計数処理を行い計数データ１６ｃの正規メダル、非正規メダルの合計枚数の更新を行うとともに、有価価値データ１６ｂの持メダル残高に計数した正規メダル、非正規メダルの合計枚数を加算する。
【００８４】
計数データ送信部１７ｅは、計数ユニット１９に投入されたメダルの計数が終了した時点で、カードＩＤ１６ａと台間メダル貸機１０を識別する識別コードと計数データ１６ｃと非正規メダル画像データ１６ｅをカード管理装置４０に送信する。また、計数データ送信部１７ｅは、これらのデータのカード管理装置４０への送信処理終了後に、計数データ１６ｃ及び非正規メダル画像データ１６ｅをクリアする。
【００８５】
アラート表示部１７ｆは、カード管理装置４０からの指示により表示操作部１３等にカード管理装置４０から通知されたアラートの内容の表示を行う。
【００８６】
次に、図２に示した台間メダル貸機１０のメダル計数処理手順について説明する。図６は、図２に示した台間メダル貸機１０のメダル計数処理手順を示すフローチャートである。
【００８７】
まず、未処理のメダルがメダル投入口１９ａ若しくは搬送ベルト１９ｂ上に有るか否かの判定処理を行い（ステップＳ１０１）、未処理メダルが無いと判定した場合（ステップＳ１０１；Ｎｏ）にはステップＳ１０７に移行する。未処理メダルが有ると判定した場合（ステップＳ１０１；Ｙｅｓ）には、メダル真贋判定部１７ｃは、メダル画像撮像部１７ｂにより撮像した未処理メダルの画像と基準メダルデータ１６ｄによりメダルが正規メダルなのか非正規メダルなのかのメダルの真贋判定処理を行う（ステップＳ１０２）。
【００８８】
メダル真贋判定の処理（ステップＳ１０２）において正規メダルと判定された場合（ステップＳ１０３；Ｙｅｓ）には、ステップＳ１０６に移行する。メダル真贋判定の処理（ステップＳ１０２）において非正規メダルと判定された場合（ステップＳ１０３；Ｎｏ）には、計数処理部１７ｄは、計数データ１６ｃの非正規メダルの計数枚数に１加算して（ステップＳ１０４）、メダル真贋判定部１７ｃは、非正規メダルと判定したメダル画像データを、非正規メダル画像データ１６ｅに記憶する（ステップＳ１０５）。
【００８９】
次に、計数処理部１７ｄは、計数データ１６ｃの正規メダルと非正規メダルの合計枚数に１加算して（ステップＳ１０６）、未処理メダル有無の判定処理（ステップＳ１０１）に戻る。
【００９０】
未処理のメダルが無いと判定したときに（ステップＳ１０１；Ｎｏ）は、計数処理部１７ｄは、計数データ１６ｃの正規メダルと非正規メダルの合計枚数を、有価価値データ１６ｂの持メダル口座の持メダル枚数に加算する（ステップＳ１０７）。
【００９１】
次に、計数データ送信部１７ｅは、カードＩＤ１６ａと台間メダル貸機１０を識別する識別コードと今回の計数結果である計数データ１６ｃをカード管理装置４０に送信する（ステップＳ１０８）。また、計数データ送信部１７ｅは、カードＩＤ１６ａと台間メダル貸機１０を識別する識別コードと今回の計数で非正規メダルと判定した全ての非正規メダルの画像データである非正規メダル画像データ１６ｅをカード管理装置４０に送信する（ステップＳ１０９）。
【００９２】
最後に、計数データ送信部１７ｅは、今回の計数結果である計数データ１６ｃと今回の計数で非正規メダルと判定した全ての非正規メダルの画像データである非正規メダル画像データ１６ｅをクリアして（ステップＳ１１０）、処理を終了する。
【００９３】
次に、図２に示したカード管理装置４０の本実施例に係る内部構成を説明する。図７は、カード管理装置４０の内部構成を示すブロック図である。図７に示すように、カード管理装置４０は、表示部４１、入力部４２及び無線発信装置４６と接続される。表示部４１は、液晶パネル等のディスプレイ装置であり、入力部４２は、キーボードやマウス等であり、無線発信装置４６は店員の装着するインカム７０との無線通信を行う装置である。
【００９４】
また、カード管理装置４０は、通信部４３と、記憶部４４と、制御部４５とを有する。通信部４３は、通信回線を介して台間メダル貸機１０と通信するためのインタフェース部である。
【００９５】
記憶部４４は、ハードディスク装置や不揮発性メモリ等の記憶デバイスであり、カードデータ４４ａ、計数データ４４ｂ、非正規メダル画像データ４４ｃ、計数集計データ４４ｄ、非正規メダル識別用画像ＤＢ４４ｅ及び判定閾値データ４４ｆを記憶する。
【００９６】
カードデータ４４ａは、カードＩＤにプリペイド価値と、レート毎の持メダル数とを対応づけたデータである。
【００９７】
計数データ４４ｂは、台間メダル貸機１０にてメダル計数を行うごとに計数データ送信部１７ｅが送信してくるカードＩＤ１６ａ、台間メダル貸機１０を識別する識別番号及び計数データ１６ｃを１レコードとして、受信した全てのデータを蓄積したものである。また、計数データ４４ｂは、１日のデータを記憶しているものであり、閉店処理等の日次の処理でクリアされる。
【００９８】
非正規メダル画像データ４４ｃは、台間メダル貸機１０にて計数処理時に非正規メダルと判定されたメダルがあったときに、台間メダル貸機１０の計数データ送信部１７ｅが送信してくるカードＩＤ１６ａ、台間メダル貸機１０を識別する識別番号及び非正規メダル画像データ１６ｅを蓄積したものである。また受付けた非正規メダルイメージについてはメダル画像識別部４５ｄにて非正規メダルの種類を判定し、判定した非正規メダルの識別番号も併せて記憶する。また、非正規メダル画像データ４４ｃは、１日のデータを記憶しているものであり、閉店処理等の日次の処理でクリアされる。
【００９９】
計数集計データ４４ｄは、計数データ４４ｂと非正規メダル画像データ４４ｃの情報をカードＩＤと台間メダル貸機識別番号ごとに集計したものであり、この集計結果をアラートの判定の閾値と比較してアラートの要否を判定する。
【０１００】
非正規メダル識別用画像ＤＢ４４ｅは、非正規メダルを識別するための基準データである。非正規メダル識別用画像ＤＢ４４ｅは、動的に作成されるものである。具体的には、非正規メダルの画像より非正規メダルの識別をする場合には、非正規メダル識別用画像ＤＢ４４ｅで識別処理を行い、識別できなかった場合には該非正規メダルの画像がまだ非正規メダル識別用画像ＤＢ４４ｅに登録されていなかったと判断して、該非正規メダルの識別番号を新規に採番して、該識別番号に関連付けて識別できなかった非正規メダルの画像及び該画像から作成した特徴データを非正規メダル識別用画像ＤＢ４４ｅに追加登録する。この追加登録することによって、非正規メダル識別用画像ＤＢ４４ｅを自動的に生成する。
【０１０１】
判定閾値データ４４ｆは、計数データ４４ｂ及び非正規メダル画像データ４４ｃから集計された計数集計データ４４ｄの内容からアラート発報の要否を判定する閾値を規定したデータである。
【０１０２】
制御部４５は、カード管理装置４０を全体制御する制御部であり、カードデータ管理部４５ａ、計数データ受付部４５ｂ、メダル画像受付部４５ｃ、メダル画像識別部４５ｄ、アラート判定部４５ｅ及びアラート報知部４５ｆを有する。実際には、これらの機能部に対応するプログラムを図示しないＲＯＭ等の不揮発性メモリに記憶しておき、これらのプログラムをＣＰＵ（Ｃｅｎｔｒａｌ  Ｐｒｏｃｅｓｓｉｎｇ  Ｕｎｉｔ）にロードして実行することにより実現される。
【０１０３】
カードデータ管理部４５ａは、カードデータ４４ａに対するデータの登録、更新及び削除を行う処理部である。カードデータ管理部４５ａは、台間メダル貸機１０からカードＩＤ、プリペイド価値及び持玉数を受信したならば、受信したカードＩＤに対応付けられたプリペイド価値を受信したプリペイド価値に置き換え、受信したカードＩＤに対応付けられた持玉口座の玉数を受信した持玉数に置き換える。
【０１０４】
また、カードデータ管理部４５ａは、カードデータ４４ａを通知する処理部でもある。カードデータ管理部４５ａは、台間メダル貸機１０からカードＩＤを受信したならば、該カードＩＤに対応付けられたプリペイド価値並びに持玉口座の残高を台間メダル貸機１０に通知する。
【０１０５】
計数データ受付部４５ｂは、台間メダル貸機１０にてメダル計数を行うごとに、計数データ送信部１７ｅが送信してくるカードＩＤ１６ａ、台間メダル貸機識別番号及び計数データ１６ｃを、計数データ４４ｂに登録する。また、計数データ受付部４５ｂは、受け付けた内容を計数データ４４ｂに登録するとともに、受け付けた内容に従って計数集計データ４４ｄの更新も行う。
【０１０６】
メダル画像受付部４５ｃは、台間メダル貸機１０の計数データ送信部１７ｅが送信してくるカードＩＤ１６ａ、台間メダル貸機識別番号及び非正規メダル画像データ１６ｅを受信した内容を、非正規メダル画像データ４４ｃに登録する。
【０１０７】
メダル画像識別部４５ｄは、メダル画像受付部４５ｃが非正規メダル画像データ４４ｃに追加登録した非正規メダルの画像から、メダルの識別処理を行いその結果を非正規メダル画像データ４４ｃの非正規メダル識別番号に書き込む。また、メダル画像識別部４５ｄは、メダル識別の結果より計数集計データ４４ｄの非正規メダルの種類数を必要に応じて更新する。
【０１０８】
また、メダル画像識別部４５ｄは、メダルの識別処理において、識別対象のメダルが非正規メダル識別用画像ＤＢ４４ｅに登録されているいずれのメダルにも該当しないと判定された場合には、比較を行ったメダルの画像に対して新規に識別番号を採番し、該識別番号と該メダルの画像等を非正規メダル識別用画像ＤＢ４４ｅに登録を行い、識別結果は新規で採番した該識別番号とする。
【０１０９】
アラート判定部４５ｅは、計数集計データ４４ｄと判定閾値データ４４ｆを比較して、計数集計データ４４ｄにあるアラート判定対象の集計値が判定閾値データ４４ｆの閾値を超えている場合にはアラート発報要と判定する。
【０１１０】
アラート報知部４５ｆは、アラート判定部４５ｅがアラート発報要と判定した場合に、無線発信装置４６を経由して店員の装着するインカム７０に音声によるアラートの報知及び台間メダル貸機１０にアラート内容の通知を行う。
【０１１１】
次に、図２に示したカード管理装置４０の本実施例に係るデータ構成について説明する。図８は、カード管理装置４０の本実施例に係るデータ構成について説明するための説明図である。
【０１１２】
計数データ４４ｂは、台間メダル貸機１０の計数データ送信部１７ｅから計数結果を受信する毎に１レコードを作成して記憶したもので、カードＩＤ、台間メダル貸機識別番号、計数枚数及び非正規メダル計数枚数を有する。図８に示す計数データ４４ｂの１レコードは、カードＩＤが「００１００」、台間メダル貸機識別番号が「０１０」、計数枚数が「１５０」、非正規メダル計数枚数が「２５」である。
【０１１３】
非正規メダル画像データ４４ｃは、台間メダル貸機１０の計数データ送信部１７ｅから受信した非正規メダル画像データ１６ｅの受信により、非正規メダルの画像１枚に対して１レコードを作成して記憶したものである。非正規メダル画像データ４４ｃの各レコードは、カードＩＤ、台間メダル貸機識別番号、非正規メダル識別番号及び非正規メダル画像データを含む。図８に示す非正規メダル画像データ４４ｃの１レコードは、カードＩＤが「００１００」、台間メダル貸機識別番号が「０１０」、非正規メダル識別番号が「００５」である。
【０１１４】
計数集計データ４４ｄは、計数データ４４ｂと非正規メダル画像データ４４ｃから集計したデータであり、カードＩＤと台間メダル貸機識別番号に関連付けて、計数枚数、非正規メダル計数毎数、非正規メダル計数回数、非正規メダル種類数を有している。図８の計数集計データ４４ｄは、カードＩＤが「００１００」で台間メダル貸機識別番号が「０１０」に関連付けた集計結果が、計数枚数が「１５０」、非正規メダル計数毎数が「２５」、非正規メダル計数回数が「３」、非正規メダル種類数が「４」であることを示す。
【０１１５】
非正規メダル識別用画像ＤＢ４４ｅは、非正規メダルの識別するための基準データであり、非正規メダル識別番号に関連付けて非正規メダル特徴データと非正規メダル画像データを有している。図８の非正規メダル識別用画像ＤＢ４４ｅは、非正規メダル識別番号「００１」に関連付けられた非正規メダル特徴データや非正規メダル画像データを有していることを示す。
【０１１６】
判定閾値データ４４ｆは、アラート判定対象の集計値の種類毎にアラートの閾値を規定したものである。図８の判定閾値データ４４ｆは、同一カードＩＤにおける非正規メダル計数枚数が「２０枚以上」、同一カードＩＤにおける非正規メダル計数回数が「５回以上」、同一カードＩＤにおける非正規メダルの計数枚数と種類数が「１０枚以上、２種類以下」、同一カードＩＤにおける同一非正規メダル枚数が「１０枚以上」の場合にアラート発報することを示す。また、図８の判定閾値データ４４ｆは、同一台間メダル貸機における非正規メダル計数枚数が「２０枚以上」、同一台間メダル貸機における非正規メダル計数回数が「５回以上」、同一台間メダル貸機における非正規メダルの計数枚数と種類数が「１０枚以上、２種類以下」、同一台間メダル貸機における同一非正規メダル枚数が「１０枚以上」の場合にアラート発報することを示す。
【０１１７】
次に、本実施例に係る台間メダル貸機１０にてメダル計数時のカード管理装置４０におけるメダル計数に係る処理手順を説明する。図９は、台間メダル貸機１０にてメダル計数時のカード管理装置４０におけるメダル計数に係る処理手順について説明するためのフローチャートである。
【０１１８】
計数データ受付部４５ｂは、台間メダル貸機１０にてメダル計数を行うごとに、計数データ送信部１７ｅが送信してくるカードＩＤ１６ａ、台間メダル貸機識別番号及び計数データ１６ｃを、計数データ４４ｂに追加登録する（ステップＳ２０１）。
【０１１９】
また、計数データ受付部４５ｂは、台間メダル貸機１０から受信した内容に従って計数集計データ４４ｄの更新を行う（ステップＳ２０２）。具体的には、台間メダル貸機１０からの受信データに含まれるカードＩＤ及び台間メダル貸機識別番号に対応する計数集計データ４４ｄのレコードを検索し、該レコードの計数枚数に台間メダル貸機１０から受信データに含まれる計数枚数を、該レコードの非正規メダル計数枚数に台間メダル貸機１０からの受信データに含まれる非正規メダル計数枚数を加算する。台間メダル貸機１０からの受信データに含まれるカードＩＤ及び台間メダル貸機識別番号に対応する計数集計データ４４ｄのレコードを検索した結果、該レコードが存在しなかった場合には台間メダル貸機１０からの受信データで、計数集計データ４４ｄに１レコード追加する。また、台間メダル貸機１０からの受信データに含まれる非正規メダル計数枚数がゼロでなかった場合には、計数集計データ４４ｄの該レコードの非正規メダル計数回数を１カウントアップする。
【０１２０】
次に、台間メダル貸機１０から送付されてくる計数データ１６ｃの非正規メダルの計数枚数を参照して、非正規メダルが無かった場合（ステップＳ２０３；Ｎｏ）には処理終了とする。また、台間メダル貸機１０から送付されてくる計数データ１６ｃの非正規メダルの計数枚数を参照して、非正規メダルがあった場合（ステップＳ２０３；Ｙｅｓ）に、メダル画像受付部４５ｃは、台間メダル貸機１０の計数データ送信部１７ｅが送信してくる非正規メダル画像データ１６ｅを受け付けて、非正規メダル画像データ４４ｃに登録する（ステップＳ２０４）。
【０１２１】
次に、受付けた非正規メダルの画像データに関してメダルの識別処理が終了していない非正規メダルの画像の有無を判定し（ステップＳ２０５）、メダルの識別処理が終了していない非正規メダルの画像がない場合（ステップＳ２０５；Ｎｏ）には、ステップＳ２１１に移行する。メダルの識別処理が終了していない非正規メダルの画像がある場合（ステップＳ２０５；Ｙｅｓ）には、メダル画像識別部４５ｄは非正規メダル識別用画像ＤＢ４４ｅを利用して非正規メダルの識別処理を行う（ステップＳ２０６）。
【０１２２】
非正規メダル識別用画像ＤＢ４４ｅを利用して非正規メダルの識別処理を行った結果、メダルの識別ができた場合には（ステップＳ２０７；Ｙｅｓ）、非正規メダル画像データ４４ｃの該当のレコードの非正規メダル識別番号に該識別結果を書き込む（ステップＳ２０９）。メダルの識別ができなかった場合には（ステップＳ２０７；Ｎｏ）、識別のできなかった非正規メダルの画像データに対して新たな非正規メダル識別番号を採番し、該識別番号と非正規メダルの画像等を非正規メダル識別用画像ＤＢ４４ｅに追加登録し（ステップＳ２０８）、非正規メダル画像データ４４ｃの該当のレコードの非正規メダル識別番号に新たに採番した非正規メダル識別番号を書き込む（ステップＳ２０９）。
【０１２３】
また、メダル画像識別部４５ｄは、更新された非正規メダル画像データ４４ｃの内容から、計数集計データ４４ｄの非正規メダルの種類数を必要に応じで更新して（ステップＳ２１０）、識別処理が未処理の非正規メダル画像の有無の判定処理（ステップＳ２０５）に戻る。
【０１２４】
非正規メダル画像の識別処理が全て終了している場合（ステップＳ２０５；Ｎｏ）には、アラート判定部４５ｅは、計数集計データ４４ｄと判定閾値データ４４ｆとから、アラートの発報の要否の判定を行う（ステップＳ２１１）。
【０１２５】
アラート判定部４５ｅの判定が、アラート要であった場合（ステップＳ２１２；Ｙｅｓ）には、アラート報知部４５ｆは、アラートを発報する。具体的には、アラート報知部４５ｆは、無線発信装置４６を経由して店員の装着するインカム７０に音声による店員への報知と台間メダル貸機１０へ通信部４３を経由してアラート内容を通知する。アラート判定部４５ｅの判定が、アラート不要であった場合（ステップＳ２１２；Ｎｏ）には、処理を終了する。
【０１２６】
本実施例のここまでの説明では、非正規遊技媒体持ち込みを検知する単位として、カードＩＤに関係付けられた遊技客の単位及び遊技機２０の単位で説明を行ってきたが、本発明はこれに限定されるものではない。図１０は、複数の遊技機２０を含む島等の遊技エリアの単位で非正規遊技媒体持ち込みを検知する遊技媒体計数方法を説明するための説明図である。
【０１２７】
遊技客は、台間メダル貸機１１０にて遊技媒体の計数を行うことができる。遊技客により計数操作がされると、台間メダル貸機１０は、投入されたメダルの計数を行うとともに、投入された個々のメダルの画像を採取して真贋判定を行うことにより、非正規メダル枚数もカウントする。
【０１２８】
台間メダル貸機１１０は、計数の都度、カードＩＤ、計数機ＩＤ、メダル計数枚数、非正規メダル枚数及び非正規メダルのイメージに加えて台間メダル貸機１１０の属する島等のエリアを識別するエリアＩＤをカード管理装置１４０に送信する。
【０１２９】
図１０の例では、エリアＩＤが「００１」である「島Ａ」の計数機ＩＤが「０１０」の台間メダル貸機１１０にて１回目と２回目のメダル計数が行われ、エリアＩＤが「００２」である「島Ｂ」の計数機ＩＤが「０２０」の台間メダル貸機１０にて３回目のメダル計数が行われている。１回目の計数は、計数メダル枚数が「５０」、内非正規メダル数が「１０」であり、この計数メダル枚数、非正規メダル枚数及び非正規メダルのイメージデータがカードＩＤ、エリアＩＤ及び計数機ＩＤとともにカード管理装置１４０に送信されている。また、２回目の計数は、計数メダル枚数が「６０」、内非正規メダル数が「５」であり、この計数メダル枚数、非正規メダル枚数及び非正規メダルのイメージデータがカードＩＤ、エリアＩＤ及び計数機ＩＤとともにカード管理装置１４０に送信されている。また、３回目の計数は、計数メダル枚数が「４０」、内非正規メダル数が「１０」であり、この計数メダル枚数、非正規メダル枚数及び非正規メダルのイメージデータがカードＩＤ、エリアＩＤ及び計数機ＩＤとともにカード管理装置１４０に送信されている。
【０１３０】
カード管理装置１４０は、台間メダル貸機１１０より受付けた計数結果や非正規メダルのイメージデータをカードＩＤ、エリアＩＤ及び計数機ＩＤに関連付けて記憶する。また、カード管理装置１４０は、受付けた非正規メダルのイメージデータより非正規メダルの種類を識別する。さらに、カード管理装置１４０は、受付けた計数結果や非正規メダルの識別結果より、集計結果の更新を行う。集計の種類は、図９までに説明してきた例に加えて、エリアＩＤ単位での集計も行う。図１０は、エリアＩＤ単位での集計がエリアＩＤが「島Ａ」を示す「００１」について、計数枚数が「１１０」、非正規メダル枚数が「１５」であり、エリアＩＤが「島Ｂ」を示す「００２」について、計数枚数が「４０」、非正規メダル枚数が「１０」であることを示している。
【０１３１】
続いて、カード管理装置１４０は更新された集計結果と、内部に保有するアラート判定基準と比較することによってアラート発報の要否の判定を行う。アラートの判定基準には同一遊技客での非正規メダル枚数検出枚数、同一遊技機での非正規メダル枚数検出枚数、同一遊技客の同一非正規メダル検出枚数などに加えて同一エリアでの非正規メダル枚数検出枚数を有している。
【０１３２】
アラートは、カード管理装置１４０から台間メダル貸機１１０への通知により台間メダル貸機１１０におけるディスプレイ装置等に対する出力処理や、無線発信装置４６を経由して店員が装着しているインカム７０での音声出力処理等により報知される。
【０１３３】
アラートの判定基準に関して、エリアによって非正規メダルの混入率に差異がある場合を想定して、エリア毎にアラート判定基準が設定できるようにしても良い。エリア単位で異なるアラート判定基準を設定する場合には、複数のエリアに跨って遊技をした遊技客に適用するアラート判定基準についてもエリア毎の計数実施枚数の比率による加重平均等のようなエリアの判定基準を考慮した値を採用しても良い。
【０１３４】
上述してきたように、本実施例では、遊技機２０を使用した遊技客を識別する遊技客識別情報を有し、台間メダル貸機１０、１１０でメダル計数時にメダルの真贋判定を行い、非正規メダルと判定された場合には非正規メダルの種類の識別を行い、遊技客識別情報、遊技機識別情報及び複数の前記遊技機が属する島等の遊技設備の識別情報に関連付けて当日の計数枚数と非正規メダル計数枚数と非正規メダル種類数及び同一種類の非正規メダルの計数枚数など管理する。また計数結果の適正の判定の為の非正規メダル計数枚数、非正規メダルの種類数及び同一種類の非正規メダルの計数枚数などの閾値を有し、遊技媒体の計数時に、計数を行った遊技客識別情報、遊技機識別情報及び遊技設備の識別情報に関連付けられた非正規メダル計数枚数、非正規メダルの種類数及び同一種類の非正規メダルの計数枚数と比較して判定を行うよう構成したので、遊技媒体の計数時に、計数結果が適正であるか否かを判定することが可能となる。
【０１３５】
なお、本実施例では、アラート報知の内容に関してインカム７０による店員への音声での報知及び、台間メダル貸機１０、１１０へ通知して表示操作部１３への表示での報知を行うものとしたが、本発明はこれに限定されるものではなく、台間メダル貸機１０、１１０での計数停止やカード返却などの処理を行うものとしてもよい。
【０１３６】
また、本実施例では、台間メダル貸機１０、１１０でメダル計数終了時に、該計数に係るカードＩＤ等の識別情報、計数枚数、非正規メダル数及び非正規メダル画像データをカード管理装置４０、１４０に送付するものとしたが、本発明はこれに限定されるものではなく、カード返却時や所定の時間間隔を毎に該計数に係るカードＩＤ等の識別情報、計数枚数、非正規メダル数及び非正規メダル画像データをカード管理装置４０、１４０に送付するとしても良い。
【０１３７】
また、本実施例では、メダルの真贋判定や識別に関してはカメラ１９ｃで撮像したメダルの画像を利用して実施したが、本発明はこれに限定されるものではなく、メダルの真贋判定や識別についてその他の方法で実現しても良い。
【０１３８】
また、本実施例では、特定のタイミングでカード管理装置４０、１４０に蓄積された台間メダル貸機１０、１１０で実施された計数に係るデータの一部若しくは全部をクリアする処理は記載していないが、同一のカードで使用者が変更となることを検知できる場合には、使用者の変更を検知したタイミングにて、該カードのカードＩＤに対応付けられるカード管理装置４０、１４０に蓄積された台間メダル貸機１０、１１０で実施された計数に係るデータをクリアしても良い。
【０１３９】
また、非正規メダルとは、当該遊技店の現在遊技を行っている遊技種で規定されているメダル以外のものであるので、当該遊技店で規定しているメダル以外のメダルと当該遊技店の現在遊技を行っている遊技種以外のメダルも含むが、店舗外からの不正持ち込みだけを監視するなどの目的に応じて、当該遊技店の現在遊技を行っている遊技種以外のメダルの扱いを正規メダルと扱っても良い。
【０１４０】
また、本実施例では、非正規メダルの枚数、種類、画像データを店舗内で活用することにより店舗外からの不正な持ち込みを監視するものであったが、本発明はこれに限定されるものではなく、非正規メダルの枚数、種類、画像データをカード加盟店のセンターシステムにデータ集約することにより、近隣の加盟店での情報共有ができ、不正な遊技媒体の持ち込みなどへの注意喚起となり、遊技店の損害の低減が期待できる。
【０１４１】
また、本実施例に対して、アラート発生時に該遊技客の顔画像を撮像する機能を付加することにより、不審な行動が疑われる遊技客の顔画像を取得することができる。該顔画像と既存の顔認証システムなどで該遊技客の来店を検知することが可能となり、不正行為による遊技店の被害を低減することもできる。
【０１４２】
また、本実施例では、アラートの判定場所はカード管理装置４０、１４０としたが、本発明はこれに限定されるものではなく、カード挿入時に当日来店以降の該カードに関連付けられた計数時の情報を台間メダル貸機１０、１１０にダウンロードすることにより、アラートの判定を台間メダル貸機１０、１１０で行うことも可能である。
【０１４３】
また、本実施例では、遊技媒体としてメダルを使用する場合を例に説明を行なったが、遊技媒体として遊技玉を用いる場合であっても、遊技玉が正規の遊技玉であるか否かを判別可能であれば、本発明を適用することができる。
【０１４４】
また、本実施例では、遊技客の非正規媒体の不正な持ち込みの可能性のある操作を監視しアラートを報知するものであったが、本発明はこれに限定するものではなく、非正規媒体の不正な持ち込み以外の不正行為の可能性のある操作や遊技状態を監視し、不正行為の可能性のある操作や遊技状態の回数や頻度等の所定の判定基準を有し、該判定基準に基づいた判定で必要と判定された場合にはアラートを報知するようにしても良い。
【０１４５】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４６】
以上のように、本発明に係る遊技媒体計数システム及び遊技媒体計数方法は、遊技媒体の計数時に、計数結果が適正であるか否かを判定することに適している。
【符号の説明】
【０１４７】
１０、１１０  台間メダル貸機
１１  状態表示部
１２  紙幣搬送部
１２ａ  紙幣挿入口
１３  表示操作部
１４  リーダライタ
１４ａ  カード挿入口
１４ｂ  かざし部
１５、４３  通信部
１６、４４  記憶部
１６ａ  カードＩＤ
１６ｂ  有価価値データ
１６ｃ、４４ｂ  計数データ
１６ｄ  基準メダルデータ
１６ｅ、４４ｃ  非正規メダル画像データ
１７、４５  制御部
１７ａ  データ管理部
１７ｂ  メダル画像撮像部
１７ｃ  メダル真贋判定部
１７ｄ  計数処理部
１７ｅ  計数データ送信部
１７ｆ  アラート表示部
１８  ノズルユニット
１８ａ  ノズル
１９  計数ユニット
１９ａ、２３  メダル投入口
１９ｂ  搬送ベルト
１９ｃ  カメラ
１９ｄ  メダル振分部
１９ｅ  リジェクトボックス
２０  遊技機
２１  ドラム部
２２、４１  表示部
２４  操作部
２５  受け皿
３０  島コントローラ
４０、１４０  カード管理装置
４２  入力部
４４ａ  カードデータ
４４ｄ  計数集計データ
４４ｅ  非正規メダル識別用画像ＤＢ
４４ｆ  判定閾値データ
４５ａ  カードデータ管理部
４５ｂ  計数データ受付部
４５ｃ  メダル画像受付部
４５ｄ  メダル画像識別部
４５ｅ  アラート判定部
４５ｆ  アラート報知部
４６  無線発信装置
５０  会員管理装置
６０  景品管理装置
７０  インカム
８０  精算機
【図１】
2014161612.tif 000003
【図２】
2014161612.tif 000004
【図３】
2014161612.tif 000005
【図４】
2014161612.tif 000006
【図５】
2014161612.tif 000007
【図６】
2014161612.tif 000008
【図７】
2014161612.tif 000009
【図８】
2014161612.tif 000010
【図９】
2014161612.tif 000011
【図１０】
2014161612.tif 000012